【誤訳訂正書】
【提出日】平成29年7月10日(2017.7.10)
【誤訳訂正１】
【訂正対象書類名】特許請求の範囲
【訂正対象項目名】全文
【訂正方法】変更
【訂正の内容】
【特許請求の範囲】
【請求項１】
電気化学セルであって、
正電極と、
負電極と、
前記正電極と前記負電極との間に位置決めした、イオン伝導・電子絶縁性のセパレータと、
前記正電極と前記セパレータとの間に位置決めされ前記正電極と電子的に接触するか、又は、前記負電極と前記セパレータとの間に位置決めされ前記負電極と電子的に接触し、外部集電極を備える、第１電子・イオン伝導層と、
前記正電極と前記負電極との間に位置決めした１つ又は複数の電解質であり、前記１つ又は複数の電解質は電荷担体を伝導可能である、電解質と、
を備える電気化学セル。
【請求項２】
請求項１に記載の電気化学セルにおいて、前記第１電子・イオン伝導層は、金属、合金、炭素系物質、半導体、電子伝導性ポリマー、電子伝導性セラミックス、金属又は合金メッシュ、金属又は合金有孔層、金属又は合金コーティング、炭素コーティング、多孔質層、有孔層、メッシュ、発泡体、導電物質の少なくとも部分的なコーティング、Ａｕ、Ａｌ、Ｃｕ、Ｔｉ、Ｚｎ、Ａｇ、ステンレス鋼、Ｌｉ、Ｓｎ、Ｓｉ、Ｎｉ、スチール、タングステン、錫、鉛、コンスタンタン、水銀、ゲルマニウム又は任意のそれらの合金類、グラファイト、カーボンブラック、グラフェン、カーボンナノチューブ、コークス、Ｌｉ合金類、Ｆｅ合金類、酸化インジウム錫（ＩＴＯ）、ランタンドープチタン酸ストロンチウム（ＳＬＴ）、イットリウムドープチタン酸ストロンチウム（ＳＹＴ）、ポリ（フルオレン）類、ポリフェニレン類、ポリピレン類、ポリアズレン類、ポリナフタレン類、ポリ（アセチレン）類、ポリ（ｐ−フェニレンビニレン）、ポリ（ピロール）類、ポリカルバゾール類、ポリインドール類、ポリアゼピン類、ポリアニリン類、ポリ（チオフェン）類、ポリ（３，４−エチレンジオキシチオフェン）、ポリ（ｐ−フェニレンスルフィド）、ポリフルオレン系導電性高分子類、ＰＡＮ、ポリ（９，９−ジオクチルフルオレン−ｃｏ−フルオレノン）、ポリ（９，９−ジオクチルフルオレン−ｃｏ−フルオレノン−ｃｏ−メチルエンゾイックエステル）、ポリチオフェン、ポリピロール、ポリ（３，４−エチレンジオキシチオフェン）ポリ（スチレンスルフォネート）（ＰＥＤＯＴ：ＰＳＳ）、［（フェロセニル）アミドプロピル］ピロール、ピロール、ポリピロール、ポリアニリン、ポリチオフェン、ポリフラン、ＳｉＯ２、ナピオン、ＰＶＣ又はそれらのドープした組成物又はそれらの混合物、又はこれらの任意の組み合わせを含む、電気化学セル。
【請求項３】
請求項１に記載の電気化学セルにおいて、前記第１電子・イオン伝導層は、３０％以上の多孔度を有する多孔質材料、有孔材料、又は発泡材料を含む、電気化学セル。
【請求項４】
請求項１に記載の電気化学セルにおいて、前記第１電子・イオン伝導層は、前記セパレータ、前記正電極又は前記負電極の少なくとも１つの外面に堆積した薄膜構造、或いは、前記セパレータ、前記正電極又は前記負電極の少なくとも１つの外面に塗布したコーティングを含む、電気化学セル。
【請求項５】
請求項１に記載の電気化学セルにおいて、前記第１電子・イオン伝導層の少なくとも一部は、前記正電極の活物質内又は前記負電極の活物質内に位置決めされる、或いは、前記正電極の活物質内又は前記負電極の活物質内に位置決めされる前記第１電子・イオン伝導層の前記一部は、前記セパレータと物理的に接触しない、或いは、前記正電極の活物質内又は前記負電極の活物質内に位置決めされる前記第１電子・イオン伝導層の前記一部は、前記正電極の集電体又は前記負電極の集電体と物理的に接触する、或いは、前記正電極の活物質内又は前記負電極の活物質内に位置決めされる前記第１電子・イオン伝導層の前記一部は、前記正電極の集電体又は前記負電極の集電体と物理的に接触しない、電気化学セル。
【請求項６】
請求項５に記載の電気化学セルにおいて、前記正電極の活物質内又は前記負電極の活物質内に位置決めされる前記第１電子・イオン伝導層の前記一部は、湿式処理、乾式処理、機械加工、熱堆積、塗布、及びこれらの任意の組み合わせからなる群から選択される方法により前記正電極の活物質内又は前記負電極の活物質内に提供される、電気化学セル。
【請求項７】
請求項１に記載の電気化学セルにおいて、前記第１電子・イオン伝導層は、１Ｓ／ｃｍ以上の電子伝導度を有する、或いは、１０Ω・ｃｍ２以下のイオン抵抗を有する、電気化学セル。
【請求項８】
請求項１に記載の電気化学セルにおいて、前記第１電子・イオン伝導層は、１００μｍ以下の厚さを有する、或いは、１０ｎｍ〜１０μｍの範囲から選択される厚さを有する、電気化学セル。
【請求項９】
請求項１に記載の電気化学セルにおいて、前記第１電子・イオン伝導層は、前記セパレータと物理的に接触して設けられる、或いは、前記第１電子・イオン伝導層は、前記セパレータの外面の少なくとも１０％と物理的に接触する、電気化学セル。
【請求項１０】
請求項１に記載の電気化学セルにおいて、前記第１電子・イオン伝導層は、前記正電極又は前記負電極と物理的に接触する、或いは、前記第１電子・イオン伝導層は、前記正電極又は前記負電極の外面の少なくとも１０％と物理的に接触する、電気化学セル。
【請求項１１】
請求項１に記載の電気化学セルにおいて、前記第１電子・イオン伝導層は、前記正電極と正電極集電体との間に電子伝達用の追加の経路又は前記負電極と負電極集電体との間に電子伝達用の追加の経路を提供する、或いは、前記第１電子・イオン伝導層は、前記負電極又は前記正電極の少なくとも一部の導電性を高める、電気化学セル。
【請求項１２】
請求項１に記載の電気化学セルは、第２電子・イオン伝導層をさらに備え、前記第１電子・イオン伝導層は前記正電極と電気的に接触して位置決めされ、前記第２電子・イオン伝導層は前記負電極と電気的に接触して位置決めされ、また、前記第１及び第２電子・イオン伝導層は、物理的又は電気的に互いに接触しない、電気化学セル。
【請求項１３】
請求項１に記載の電気化学セルにおいて、前記第１電子・イオン伝導層は、前記正電極又は前記負電極に隣接して又はその内部に均一な電界を提供することにより、前記正電極又は前記負電極内においてイオンを均一に堆積させる、或いは、前記第１電子・イオン伝導層は、前記正電極又は前記負電極上における又は各電極からのデンドライト成長を防止する、電気化学セル。
【請求項１４】
請求項１に記載の電気化学セルにおいて、前記セパレータは、ポリマー、ポリエチレン、ポリプロピレン、ポリエチレンテレフタレート、カプトン、ポリテトロフルオロエチレン、ガラスセパレータ、不織布セパレータ、織布セパレータ、ポリマー電解質、固体電解質、ゲル状電解質、ナフィオン、ＺｒＯ２、ＰＶＤＦ、ＰＥＯ、ＰＭＭＡ、ＬＩＳＩＣＯＮ、ＮＡＳＩＣＯＮ、ＬＩＰＯＮ、ＮａＰＯＮ、ＰＥ、ＰＰ、ＰＥＴ、カプトン、又はこれらの任意の組み合わせからなる微多孔層を含む、電気化学セル。
【請求項１５】
請求項１に記載の電気化学セルにおいて、前記セパレータは、前記第１電子・イオン伝導層の少なくとも１つの外面、前記正電極の少なくとも１つの面、又は前記負電極の少なくとも１つの面に塗布したコーティングを備える、或いは、前記セパレータは、前記第１電子・イオン伝導層の少なくとも１つの外面、前記正電極の少なくとも１つの面、又は前記負電極の少なくとも１つの面に堆積した薄膜を備える、電気化学セル。
【請求項１６】
請求項１に記載の電気化学セルにおいて、前記第１電子・イオン伝導層は前記セパレータ上のコーティングであり、前記セパレータは５００μｍ以下又は１０ｎｍ〜２００μｍの範囲から選択される全厚を有する、電気化学セル。
【請求項１７】
請求項１に記載の電気化学セルにおいて、前記第１電子・イオン伝導層は、前記正電極及び前記負電極の一方を還元する、或いは、前記外部集電極は、前記正電極及び前記負電極の一方を酸化する、電気化学セル。
【請求項１８】
請求項１に記載の電気化学セルにおいて、前記電気化学セルは、二次電池、一次電池、フロー電池又は半固体電池又は燃料電池又は電気化学キャパシタ又は鉛蓄電池、リチウムイオン電池、リチウム金属電池、亜鉛電池、空気リチウム電池、空気亜鉛電池、空気アルミニウム電池、空気鉄電池、リチウム−水電池、シリコン系電池、ナトリウム電池、マグネシウム電池、ナトリウムイオン電池、マグネシウムイオン電池、アルカリ電池又は鉛蓄電池を含む、或いは、前記電気化学セルは、シリコン系アノード、リチウムアノード、金属酸化物電極、硫黄系カソード、炭素系酸素カソード、及び炭素系水カソードのうちの１つ又は複数を含むリチウム電池を備える、電気化学セル。
【請求項１９】
請求項１に記載の電気化学セルにおいて、前記第１電子・イオン伝導層は、前記電解質の電荷担体の輸送を介し、前記第１電子・イオン伝導層中の１つ又は複数の開口又は孔を通して、イオンを伝導する、電気化学セル。
【誤訳訂正２】
【訂正対象書類名】明細書
【訂正対象項目名】００６９
【訂正方法】変更
【訂正の内容】
【００６９】
任意選択で、第１電子・イオン伝導層は、金属、合金、炭素系物質、半導体、電子伝導性ポリマー、電子伝導性セラミックス、又はこれらの任意の組み合わせを含む。任意選択で、第１電子・イオン伝導層は、金属又は合金メッシュ、金属又は合金有孔層、金属又は合金コーティング、炭素コーティング、多孔質層、有孔層、メッシュ、発泡体、導電物質の少なくとも部分的なコーティング、又はこれらの任意の組み合わせを含む。任意選択で、第１電子・イオン伝導層は、Ａｕ、Ａｌ、Ｃｕ、Ｔｉ、Ｚｎ、Ａｇ、ステンレス鋼、Ｌｉ、Ｓｎ、Ｓｉ、Ｎｉ、スチール、タングステン、錫、鉛、コンスタンタン、水銀、ゲルマニウム又は任意のそれらの合金類、グラファイト、カーボンブラック、グラフェン、カーボンナノチューブ、コークス、Ｌｉ合金類、Ｆｅ合金類、酸化インジウム錫（ＩＴＯ）、ランタンドープチタン酸ストロンチウム（ＳＬＴ）、イットリウムドープチタン酸ストロンチウム（ＳＹＴ）、ポリ（フルオレン）類、ポリフェニレン類、ポリピレン類、ポリアズレン類、ポリナフタレン類、ポリ（アセチレン）類、ポリ（ｐ−フェニレンビニレン）、ポリ（ピロール）類、ポリカルバゾール類、ポリインドール類、ポリアゼピン類、ポリアニリン類、ポリ（チオフェン）類、ポリ（３，４−エチレンジオキシチオフェン）、ポリ（ｐ−フェニレンスルフィド）、ポリフルオレン系導電性高分子類、ＰＡＮ、ポリ（９，９−ジオクチルフルオレン−ｃｏ−フルオレノン）、ポリ（９，９−ジオクチルフルオレン−ｃｏ−フルオレノン−ｃｏ−メチルエンゾイックエステル）、ポリチオフェン、ポリピロール、ポリ（３，４−エチレンジオキシチオフェン）ポリ（スチレンスルフォネート）（ＰＥＤＯＴ：ＰＳＳ）、［（フェロセニル）アミドプロピル］ピロール、ピロール、ポリピロール、ポリアニリン、ポリチオフェン、ポリフラン、ＳｉＯ２、ナピオン、ＰＶＣ又はそれらのドープした組成物又はそれらの混合物、又は、これらの任意の組み合わせを含む。
【誤訳訂正３】
【訂正対象書類名】明細書
【訂正対象項目名】００９７
【訂正方法】変更
【訂正の内容】
【００９７】
任意選択で、本態様の電気化学セルは、正電極と前記セパレータとの間に位置決めされ正電極と電気的に接触するか、又は、負電極と前記セパレータとの間に位置決めされ負電極と電気的に接触する、第１電子・イオン伝導層をさらに備える。任意選択で、本態様の電気化学セルは、負電極と前記セパレータとの間に位置決めされ負電極と電気的に接触するか、又は、正電極と前記セパレータとの間に位置決めされ正電極と電気的に接触する第２電子・イオン伝導層をさらに備える。 
【誤訳訂正４】
【訂正対象書類名】明細書
【訂正対象項目名】００９８
【訂正方法】変更
【訂正の内容】
【００９８】
任意選択で、第１電子・イオン伝導層は前記セパレータのコンポーネントである。任意選択で、第１電子・イオン伝導層は、セパレータと物理的に接触、及び／又は電子的に接触して設けられる。任意選択で、第１電子・イオン伝導層は、前記セパレータ上のコーティングを含む。任意選択で、第１電子・イオン伝導層は、正電極又は負電極と物理的に接触、及び／又は電子的に接触して設けられる。任意選択で、第１電子・イオン伝導層は、外部集電極を備える。任意選択で、第１電子・イオン伝導層は、前記正電極又は前記負電極上のコーティングを含む。任意選択で、第１電子・イオン伝導層は、前記正電極及び前記負電極の一方を還元する。任意選択で、外部集電極は前記正電極及び前記負電極の一方を酸化する。